(57)【要約】【課題】雪面が十分固くない場合にも、可倒式ポールを安定的に固定する。【解決手段】可倒式ポール支持装置３００の本体１００は、中央に孔部を備えるパイプ状の内壁部と、内壁部と共に、内壁部の周囲にリング状の収容部を形成する外壁部及び底面部と、を備えている。内壁部は、外壁部より上方に延びる内壁部突出部を有し、外壁部は下方へ向かうにつれて径が大きくなるように形成され、雪面又はアイスバーンに置いたときに、滑らないよう固定するため垂下部１１０を有している。蓋部２００は、本体１００に嵌め込まれる本体嵌合部及び突出部嵌合孔と、雪面上で横転した際に滑り落ちないように、又は滑り落ちる速度を抑えられるように設けられた径方向外側に延びる環状部２０４と、環状部２０４から中央の突出部嵌合孔に向かい上方向に突出する円錐型テーパ面２０２と、を備えている。【選択図】図６
2011036602.tif 000002
【特許請求の範囲】
【請求項１】
可倒式ポールの支持装置であって、
前記可倒式ポールが接続されるための孔を有し、前記可倒式ポールの倒立中心線の周囲にリング状の空間として形成される収容部の内側の壁である内壁部と、
前記収容部の外側の壁を形成し、外形形状となる外壁部と、
前記収容部の底面を形成する底面部と、
前記収容部の上面を形成する上面部と、を備える可倒式ポール支持装置。
【請求項２】
前記孔は、前記可倒式ポールの倒立方向に貫通する孔である、ことを特徴とする請求項１に記載の可倒式ポール支持装置。
【請求項３】
前記底面部は、接地面に固定するために突き刺される垂下部を有する、ことを特徴とする請求項１又は２に記載の可倒式ポール支持装置。
【請求項４】
前記上面部は、
前記上面部の外側周縁から上面中央の前記孔に向かい上方向に突出する円錐型テーパ面を有する、ことを特徴とする請求項１〜３のいずれか一項に記載の可倒式ポール支持装置。
【請求項５】
前記内壁部の内側面には、前記可倒式ポールのねじ込み部に刻まれたネジ溝と噛み合うようなネジ溝を有する、ことを特徴とする請求項１〜４のいずれか一項に記載の可倒式ポール支持装置。
【請求項６】
前記上面部は、周縁から径方向外側に延びる環状部を有する、ことを特徴とする請求項１〜５のいずれか一項に記載の可倒式ポール支持装置。
【請求項７】
前記環状部は、径方向外側に凹凸を形成する係止突起部を有する、ことを特徴とする請求項６に記載の可倒式ポール支持装置。
【請求項８】
前記外壁部の外側面形状は、前記可倒式ポールの倒立方向において、径が単調に変化するテーパ形状である、ことを特徴とする請求項１〜７のいずれか一項に記載の可倒式ポール支持装置。
【請求項９】
前記収容部には、不定形状物が収容されている、ことを特徴とする請求項１〜８のいずれか一項に記載の可倒式ポール支持装置。
【請求項１０】
前記収容部には、固形物が収容されている、ことを特徴とする請求項１〜８のいずれか一項に記載の可倒式ポール支持装置。
【請求項１１】
前記上面部は蓋部として一体的に構成され、
前記内壁部、前記外壁部及び前記底面部は、本体として一体的に構成され、
前記本体の内壁部は、前記外壁部より、前記底面部からの距離を大きくして形成されることにより、前記外壁部より上方向に突出した内壁部突出部分を有し、
前記蓋部は、前記内壁部突出部分の外側面、及び前記外壁部の上端である外壁部上端部に接触し、前記収容部となる溝を塞ぐように接続される、ことを特徴とする請求項１〜１０のいずれか一項に記載の可倒式ポール支持装置。
【請求項１２】
前記底面部は蓋部として一体的に構成され、
前記内壁部、前記外壁部及び前記上面部は、本体として一体的に構成され、
前記本体の内壁部は、前記外壁部より、前記上面部からの距離を大きくして形成されることにより、前記外壁部より下方向に突出した内壁部突出部分を有し、
前記蓋部は、前記内壁部突出部分の外側面、及び前記外壁部の下端である外壁部下端部に接触し、前記収容部となる溝を塞ぐように接続される、ことを特徴とする請求項１〜１０のいずれか一項に記載の可倒式ポール支持装置。
【請求項１３】
前記本体の前記外壁部は、内側面の一部に溝を有し、
前記蓋部は、前記溝が前記蓋部との対応する部分と噛み合わされることにより、固定される、ことを特徴とする請求項１１又は１２に記載の可倒式ポール支持装置。
【請求項１４】
請求項１〜１３のいずれか一項に記載の可倒式ポール支持装置と、
ポール及び前記ポールにヒンジ部を介して接続されたねじ込み部を有する可倒式ポールと、を備え、
前記可倒式ポール支持装置の本体を貫通する孔には、前記可倒式ポールの前記ねじ込み部が挿入されている、ことを特徴とする支持装置付可倒式ポール。
【請求項１５】
前記孔に、前記ねじ込み部と共に挿入される、潰れやすい細長材料を更に備える、ことを特徴とする請求項１４に記載の支持装置付可倒式ポール。
【発明の詳細な説明】
【技術分野】
【０００１】
本発明は可倒式ポール支持装置及び支持装置付可倒式ポールに関する。
【背景技術】
【０００２】
アイスバーンの斜面を高速で下るスキーのスラローム競技等においては、競技者の滑るべきルートを決定する旗門として、可倒式ポールが使用されている。可倒式ポールは、時速数十キロから百キロを超える速さで滑降する競技者が通過するたびに、競技者の体に当たり倒されるため、旗門設置点に確実に固定されている必要がある。
【０００３】
一般に、可倒式ポールを設置する際には、アイスバーンにドリルで穴を開け、その穴にネジ溝が立てられた可倒式ポールのねじ込み部を雪中にねじ込むことにより固定される。しかしながら、このような固定方法は、アイスバーンが深さ数十センチにわたり形成されている場合には、比較的安定して固定できるが、アイスバーンが薄い場合やアイスバーンが形成されていない場合には、固定される基盤が柔らかいため、可倒式ポールが倒されるたびに、雪面に開けられた穴は大きくなり、可倒式ポールは雪中から抜けやすくなる。
【０００４】
競技中に可倒式ポールが抜けてしまった場合には、元の位置に刺しなおすこととなるが、穴が大きくなりすぎ、旗門の位置を変更しなければならない場合には、競技のやり直しに繋がる場合もある。スキー競技の練習中であっても、可倒式ポールが抜けた直後に滑降する者は、可倒式ポールを刺し直さなければならず、効率的な練習を困難にしている。
【０００５】
可倒式ポールの抜けを防ぐための装置として、特許文献１には、可倒式ポールの雪中に埋め込まれる部分に接する溝を有するＷ型形状の可倒式ポール用抜け止め具が開示されている。また、特許文献２には、可倒式ポールの断面の半周分に接するくさび型形状のスキーポールの保持具が開示されている。
【先行技術文献】
【特許文献】
【０００６】
【特許文献１】特開平１０−５７５４２号公報
【特許文献２】実公平６−２２３７２号公報
【発明の概要】
【発明が解決しようとする課題】
【０００７】
上述の特許文献１及び特許文献２に記載されたような対策は、特定の条件の雪面において有効であるが、アイスバーンが薄い場合やアイスバーンが十分形成されていない雪面においては十分に固定できるものとはいえない。
【０００８】
本発明は、上述の事情を鑑みてしたものであり、雪面が十分固くない場合にも、安定的に固定することができる可倒式ポール支持装置を提供することを目的とする。
【課題を解決するための手段】
【０００９】
本発明の可倒式ポール支持装置は、可倒式ポールの支持装置であって、前記可倒式ポールが接続されるための孔を有し、前記可倒式ポールの倒立中心線の周囲にリング状の空間として形成される収容部の内側の壁である内壁部と、前記収容部の外側の壁を形成し、外形形状となる外壁部と、前記収容部の底面を形成する底面部と、前記収容部の上面を形成する上面部と、を備える可倒式ポール支持装置である。
【００１０】
また、本発明の可倒式ポール支持装置は、前記孔は、前記可倒式ポールの倒立方向に貫通する孔である、とすることができる。ここで、「倒立方向」とは、可倒式ポールが倒されていないときの倒立方向を意味する。
【００１１】
また、本発明の可倒式ポール支持装置は、前記底面部は、接地面に固定するために突き刺される垂下部を有する、とすることができる。
【００１２】
また、本発明の可倒式ポール支持装置は、前記上面部は、前記上面部の外側周縁から上面中央の前記孔に向かい上方向に突出する円錐型テーパ面を有する、とすることができる。
【００１３】
また、本発明の可倒式ポール支持装置は、前記内壁部の内側面には、前記可倒式ポールのねじ込み部に刻まれたネジ溝と噛み合うようなネジ溝を有する、とすることができる。
【００１４】
また、本発明の可倒式ポール支持装置は、前記上面部は、周縁から径方向外側に延びる環状部を有する、とすることができる。
【００１５】
また、本発明の可倒式ポール支持装置は、前記環状部は、径方向外側に凹凸を形成する係止突起部を有する、とすることができる。
【００１６】
また、本発明の可倒式ポール支持装置は、前記外壁部の外側面形状は、前記可倒式ポールの倒立方向において、径が単調に変化するテーパ形状である、とすることができる。
【００１７】
また、本発明の可倒式ポール支持装置は、前記収容部には、不定形状物又は固形物が収容されている、とすることができる。
【００１８】
また、本発明の可倒式ポール支持装置は、前記上面部は蓋部として一体的に構成され、前記内壁部、前記外壁部及び前記底面部は、本体として一体的に構成され、前記本体の内壁部は、前記外壁部より、前記底面部からの距離を大きくして形成されることにより、前記外壁部より上方向に突出した内壁部突出部分を有し、前記蓋部は、前記内壁部突出部分の外側面、及び前記外壁部の上端である外壁部上端部に接触し、前記収容部となる溝を塞ぐように接続される、とすることができる。
【００１９】
また、本発明の可倒式ポール支持装置は、前記底面部は蓋部として一体的に構成され、前記内壁部、前記外壁部及び前記上面部は、本体として一体的に構成され、前記本体の内壁部は、前記外壁部より、前記上面部からの距離を大きくして形成されることにより、前記外壁部より下方向に突出した内壁部突出部分を有し、前記蓋部は、前記内壁部突出部分の外側面、及び前記外壁部の下端である外壁部下端部に接触し、前記収容部となる溝を塞ぐように接続される、とすることができる。
【００２０】
また、本発明の可倒式ポール支持装置は、前記本体の前記外壁部は、内側面の一部に溝を有し、前記蓋部は、前記溝が前記蓋部との対応する部分と噛み合わされることにより、固定される、とすることができる。
【００２１】
本発明の支持装置付可倒式ポールは、上述に記載の可倒式ポール支持装置と、ポール及びヒンジを介して前記ポールに接続されたねじ込み部を有する可倒式ポールと、を備え、前記可倒式ポール支持装置の本体を貫通する孔には、前記可倒式ポールの前記ねじ込み部が挿入されている、ことを特徴とする支持装置付可倒式ポールである。
【００２２】
また、本発明の支持装置付可倒式ポールは、前記孔に、前記ねじ込み部と共に挿入される、潰れやすい細長材料を更に備える、とすることができる。ここで、細長材料には、ザイル等に使用されるひもや、靭性のあるプラスチック材料、ゴム等の材料により作られているものが含まれる。
【図面の簡単な説明】
【００２３】
【図１Ａ】本発明の第１実施形態の可倒式ポール支持装置の本体の平面図である。
【図１Ｂ】本発明の第１実施形態の可倒式ポール支持装置の本体の正面図である。
【図１Ｃ】図１ＡのＡ−Ａ線における断面図である。
【図２Ａ】本発明の第１実施形態の可倒式ポール支持装置の蓋部の平面図である。
【図２Ｂ】本発明の第１実施形態の可倒式ポール支持装置の蓋部の正面図である。
【図２Ｃ】図２ＡのＢ−Ｂ線における断面図である。
【図３Ａ】本発明の第１実施形態の可倒式ポール支持装置の正面図である。
【図３Ｂ】本発明の第１実施形態の可倒式ポール支持装置の断面図である。
【図４】収容部に砂を詰めた場合の可倒式ポール支持装置の断面図である。
【図５】本発明の第１実施形態の可倒式ポール支持装置の全体斜視図である。
【図６】本発明の第１実施形態の支持装置付可倒式ポールを示す図である。
【図７Ａ】本発明の第２実施形態の可倒式ポール支持装置の蓋部の平面図である。
【図７Ｂ】本発明の第２実施形態の可倒式ポール支持装置の蓋部の正面図である。
【図８】本発明の第２実施形態の可倒式ポール支持装置の全体斜視図である。
【図９】本発明の第３実施形態の可倒式ポール支持装置の本体の断面図である。
【図１０】本発明の第３実施形態の可倒式ポール支持装置の蓋部の断面図である。
【図１１】本発明の第３実施形態の可倒式ポール支持装置の全体斜視図である。
【図１２Ａ】本発明の第４実施形態の可倒式ポール支持装置の正面図である。
【図１２Ｂ】本発明の第４実施形態の可倒式ポール支持装置の断面図である。
【図１３】本発明の第５実施形態の支持装置付可倒式ポールを示す図である。
【発明を実施するための形態】
【００２４】
［第１実施形態］
本発明の第１の実施形態について、図１Ａ〜図６を参照して説明する。図１Ａは、第１の実施形態の可倒式ポール支持装置の本体１００の平面図であり、図１Ｂは、本体１００の正面図であり、図１Ｃは、図１ＡのＡ−Ａ線における本体１００の断面図である。これらの図に示されるように、本体１００は、中央に孔部１０６を備えるパイプ状の内壁部１０２と、内壁部１０２と共に、内壁部１０２の周囲にリング状の収容部１０８を形成する外壁部１０４及び底面部１１４と、を備えている。内壁部１０２は、外壁部１０４より上方に延びる内壁部突出部１１２を有し、外壁部１０４は下方へ向かうにつれて径が大きくなっている。また、外壁部１０４は底面部１１４より下方に先細の垂下部１１０を有し、雪面又はアイスバーンに置かれたときに、滑らないよう固定するために用いられる。
【００２５】
図２Ａは、第１の実施形態の可倒式ポール支持装置の蓋部２００の平面図であり、図２Ｂは、蓋部２００の正面図であり、図２Ｃは、図２ＡのＢ−Ｂ線における蓋部２００の断面図である。蓋部２００は、本体１００の収容部１０８の上部に嵌め込まれる部分である本体嵌合部２０８と、本体の内壁部突出部１１２の外側に嵌められる突出部嵌合孔２０６と、雪面上で横転した際に、雪面上に係止されるように又は滑り落ちる速度が抑えられるように設けられた径方向外側に延びる環状部２０４と、環状部２０４から中央の突出部嵌合孔２０６に向かい上方向に突出する円錐型テーパ面２０２と、を備えている。
【００２６】
図３Ａは、本体１００及び蓋部２００を組み立てた可倒式ポール支持装置３００の正面図であり、図３Ｂは可倒式ポール支持装置３００の断面図である。この図に示されるように、蓋部２００の本体嵌合部２０８は、本体１００の収容部１０８に嵌め込まれ、蓋部２００の突出部嵌合孔２０６は、本体の内壁部突出部１１２の外面と接するように、本体１００に取付られ、これにより収容部１０８は密閉される。
【００２７】
図４は、収容部１０８に砂３０２を詰めた場合の可倒式ポール支持装置３００の断面図である。ここで、本実施形態においては、収容部１０８に入れられるものを砂３０２としたが、適当な比重の粒状物・液状物や、コンクリート等の固体物であってもよい。図５には、この可倒式ポール支持装置３００の全体斜視図が示されている。
【００２８】
図６には、可倒式ポール支持装置３００に可倒式ポール５００が取り付けられた支持装置付可倒式ポール４００が示されている。図の一点鎖線より下の部分は雪中部分５４０である。支持装置付可倒式ポール４００は、可倒式ポール５００と、登山等で使用されるザイル紐５２０と、前述の可倒式ポール支持装置３００とで構成され、可倒式ポール５００は、ポール５０２と、ポールを倒すための可動部分であるヒンジ部５０４と、雪中に埋め込むネジが切られているねじ込み部５０６と、を有している。
【００２９】
競技者がポール５０２にぶつかった場合には、ポール５０２は斜め上方向に引っ張られる力を受けることになる。このうち、上方向の力の成分は、ポールが引き抜かれる方向の力であるが、この力は収容部１０８に詰められた砂３０２の質量により打ち消される。また、横方向の力の成分は、上方向と同様に収容部１０８に詰められた砂３０２の質量により打ち消されると共に、可倒式ポール支持装置３００の外側面の雪に接する面積が大きいことにより、雪の単位面積当たりにかかる力を分散させて、穴が広がるのを防いでいる。
【００３０】
設置方法としては、まず、ザイル紐５２０を可倒式ポール支持装置３００の本体１００の孔部１０６に通し、ねじ込み部５０６を、ザイル紐５２０を通した孔部１０６にねじ込む。これにより、ねじ込み部５０６は、可倒式ポール支持装置３００に固定される。次に、ポールの設置点の雪面（アイスバーン）に、可倒式ポール支持装置３００が入る程度の穴をドリル等で開け、可倒式ポール支持装置３００を設置する。可倒式ポール支持装置３００より下方に飛び出したねじ込み部５０６は、ポール設置場所の雪中に入り、そのまま固定される。ここで、本実施形態においては、ザイル紐５２０は潰れやすい細長材料のひとつとして使用したが、樹脂等その他の材料を使用した細長材料が使用できる。
【００３１】
以上述べたように、本実施形態においては、可倒式ポール支持装置３００は、ねじ込み部５０６を確実に固定すると共に、収容部１０８に入れられた砂等の内容物の質量により、ヒンジ部５０４を介してねじ込み部５０６に接続されたポール５０２が倒される際の衝撃にも耐えられるようにしているため、薄いアイスバーンや雪面においても、ポール５０２が倒された際に、ポール５０２が抜けたり、ポールを刺した雪中の穴が大きくなったりすることがなく、長時間に渡り安定的に使用することができる。
【００３２】
また、本体１００の外壁部１０４の径は、下方に向かうにつれて大きくなっているため、可倒式ポール支持装置３００は雪中から抜けにくく、雪中に安定して保持されることができる。
【００３３】
また、蓋部２００には、中央の突出部嵌合孔２０６に向かい上方向に突出する円錐型テーパ面２０２が設けられているため、競技者のスキー板が当たることによる事故やけが等の競技の妨げになることを防ぐことができる。
【００３４】
また、本体１００の外壁部１０４には、底面部１１４より下方に先細の垂下部１１０が設けられているため、雪面若しくはアイスバーンに置いたときに滑らないよう固定することができる。
【００３５】
また、蓋部２００には環状部２０４が設けられているため、可倒式ポール支持装置３００が横転し、雪面又はアイスバーン上を滑り落ちそうになった場合にも、雪面又はアイスバーン上に係止される又は滑り落ちる速度を抑えることができる。
【００３６】
また、本体１００の孔部１０６は貫通孔であるため、可倒式ポール５００のねじ込み部５０６の長短に関わらず挿すことができ、下方に飛び出したねじ込み部５０６は、そのまま雪中に固定することができる。
【００３７】
また、本体１００の収容部１０８に砂等の粒状物その他の内容物を詰めることとしているため、輸送の際には内容物を抜いて軽量化することができる。
【００３８】
［第２実施形態］
次に、本発明の第２の実施形態に係る可倒式ポール支持装置６００について述べる。
【００３９】
第２の実施形態に係る可倒式ポール支持装置６００は、第１の実施形態に係る可倒式ポール支持装置３００の蓋部２００が、蓋部２５０となっており、他の構成は同一であるため、蓋部２５０についてのみ説明する。
【００４０】
図７Ａは、第２の実施形態の可倒式ポール支持装置６００の蓋部２５０の平面図であり、図７Ｂは、蓋部２５０の正面図である。第１の実施形態の蓋部２００と同様に、蓋部２５０は、本体１００の収容部１０８の上部に嵌め込まれる部分である本体嵌合部２５８と、本体の内壁部突出部１１２の外側に嵌められる突出部嵌合孔２５６と、雪面上で横転した際に、雪面上に係止されるように又は滑り落ちる速度が抑えられるように設けられた径方向外側に延びる環状部２５４と、環状部２０４から中央の突出部嵌合孔２５６に向かい上方向に突出する円錐型テーパ面２５２と、を備えている。ここで、環状部２５４は、図７Ａの平面図にあるように径方向に凹凸を有し、より雪面上に係止されやすく、又は滑り落ちる速度が抑えられるようになっている。図８には、この可倒式ポール支持装置６００の全体斜視図が示されている。
【００４１】
したがって、本実施形態においては、第１実施形態に係る効果と同様の効果を有し、更に、可倒式ポール支持装置６００は径方向に凹凸を有する環状部２５４を有するため、可倒式ポール支持装置６００が雪面又はアイスバーン上を滑り落ちそうになった場合にも、より確実に雪面又はアイスバーン上に係止される又は滑り落ちる速度を抑えることができる。
【００４２】
［第３実施形態］
次に、本発明の第３の実施形態に係る可倒式ポール支持装置７００について述べる。
【００４３】
図９は、第３の実施形態に係る可倒式ポール支持装置７００の本体１５０の断面について示す図である。第１の実施形態と同様に、本体１５０は、中央に孔部１５６を備えるパイプ状の内壁部１５２と、内壁部１５２と共に、内壁部１５２の周囲にリング状の収容部１５８を形成する外壁部１５４及び底面部１６４と、を備えている。内壁部１５２は、外壁部１５４より上方に延びる内壁部突出部１６２を有し、外壁部１５４は下方へ向かうにつれて径が大きくなっている。また、外壁部１５４は底面部１６４より下方に先細の垂下部１６０を有する。また、後述する蓋部２７０のネジ部２８０と係合するネジ溝を有する外壁部ネジ部１７４と、ねじ込み部５０６のネジ溝と係合するネジ溝を有する内壁部ネジ部１７２とを更に備えている。
【００４４】
図１０は、第３の実施形態に係る可倒式ポール支持装置７００の蓋部２７０の断面について示す図である。第１の実施形態と同様に、蓋部２７０は、本体１５０の外壁部ネジ部１７４と係合して、収容部１０８の上部にネジ嵌めされるネジ部２８０を有するネジ嵌め部２７８と、本体の内壁部突出部１１２の外側に嵌められる突出部嵌合孔２７６と、雪面上で横転した際に、雪面上に係止されるように又は滑り落ちる速度が抑えられるように設けられた径方向外側に延びる環状部２７４と、環状部２７４から中央の突出部嵌合孔２７６に向かい上方向に突出する円錐型テーパ面２７２と、を備えている。
【００４５】
したがって、本実施形態においては、第１実施形態に係る効果と同様の効果を有し、更に、蓋部２７０のネジ部２８０と、本体１５０の外壁部ネジ部１７４とが係合して、ネジ嵌めされるため、転倒等により蓋部２７０が外れ、収容部１０８に入れられた砂等の内容物がこぼれ出したりするのを防ぐことができる。
【００４６】
また、内壁部ネジ部１７２があることにより、孔部１５６に貫通されるねじ込み部５０６がより確実に固定され、ポールが倒される際の衝撃に対しても、より外れにくくすることができる。
【００４７】
なお、第３実施形態においては、蓋部２７０と本体１５０の結合には、ネジ溝を用いることとしたが、はめ込み溝等その他の２つの部品を結合させるための機構を用いることができる。
【００４８】
［第４実施形態］
図１２Ａは、第４の実施形態の可倒式ポール支持装置８００の全体正面図であり、図１２Ｂはその断面図である。可倒式ポール支持装置８００は、本体８２０と蓋部８４０とから構成される点で、第１〜第４の実施形態と同様であるが、蓋部８４０が本体８２０の下にある点で異なっている。
【００４９】
本体８２０は、中央に孔部８２６を備えるパイプ状の内壁部８２２と、内壁部８２２と共に、内壁部８２２の周囲にリング状の収容部８２７を形成する外壁部８２４及び上面部８２８と、を備えている。内壁部８２２は、外壁部８２４より下方に延びる内壁部突出部８２５を有し、外壁部８２４は下方へ向かうにつれて径が小さくなっている。上面部８２８は、外側周縁から上面中央の孔部８２６に向かい上方向に突出する円錐型テーパ面８２９を有している。
【００５０】
蓋部８４０は、本体８２０の収容部８２７の下部に底面を形成するために嵌め込まれる部分である本体嵌合部８４６と、雪面又はアイスバーンに置かれたときに滑らないよう固定するために用いられ、環状で下方に向かって延びる先細の垂下部８４２と、雪面上で横転した際に、雪面上に係止されるように又は滑り落ちる速度が抑えられるように設けられた径方向外側に延びる環状部８４４と、を有している。なお、蓋部８４０と本体８２０との結合には、上述した実施形態のような様々な２つの部品を結合させるための機構を用いることができる。
【００５１】
設置方法としては、本体８２０の収容部８２７に砂を入れ、蓋部８４０を取付けて、上下を入れ替えると共に、第１の実施形態の同様に、ザイル紐を可倒式ポール支持装置８００の本体８２０の孔部８２６に通し、可倒式ポールのねじ込み部を、ザイル紐を通した孔部８２６にねじ込む。次に、ポールの設置点の雪面（アイスバーン）に、可倒式ポール支持装置８００が入る程度の穴をドリル等で開け、可倒式ポール支持装置８００を設置する。
【００５２】
したがって、本実施形態においては、収容部８２７に入れられた砂等の内容物の質量により、ポールが倒される際の衝撃にも耐えられるようにしているため、薄いアイスバーンや雪面においても、ポールが倒された際に、ポールが抜けたり、ポールを刺した雪中の穴が大きくなったりすることがなく、長時間に渡り安定的に使用することができる。
【００５３】
また、本体８２０の外壁部８２４の径は、下方に向かうにつれて小さくなる逆テーパ形状となっているため、雪中に打ち込むように固定されることにより、雪中に安定して固定できる。
【００５４】
また、上面部８２８は、中央の孔部８２６に向かい上方向に突出する円錐型テーパ面８２９が設けられているため、競技者のスキー板が当たることによる事故やけが等の競技の妨げになることを防ぐことができる。
【００５５】
また、蓋部８４０は、下方に先細の垂下部８４２が設けられているため、雪面若しくはアイスバーンに置いたときに滑らないよう固定することができる。
【００５６】
また、蓋部８４０には環状部８４４が設けられているため、可倒式ポール支持装置８００が横転し、雪面又はアイスバーン上を滑り落ちそうになった場合にも、雪面又はアイスバーン上に係止される又は滑り落ちる速度を抑えることができる。
【００５７】
また、本体８２０の孔部８２６は貫通孔であるため、可倒式ポールのねじ込み部の長短に関わらず挿すことができ、下方に飛び出したねじ込み部は、そのまま雪中に固定することができる。
【００５８】
また、本体８２０の収容部８２７に砂等の粒状物その他の内容物を詰めることとしているため、輸送の際には内容物を抜いて軽量化することができる。
【００５９】
［第５実施形態］
図１３には、本発明の第５の実施形態の支持装置付可倒式ポール９００の全体正面図が示されている。
【００６０】
可倒式ポール９００は、第１の実施形態の支持装置付可倒式ポール４００と同様に、ポール９１０と、ヒンジ部９２０と、蓋部９３０と、本体９４０とから構成され、蓋部９３０は、本体嵌合部及び突出部嵌合孔と共に、環状部９３２と、円錐型テーパ面９３４とを有しており、本体９４０は、収容部を形成する内壁部、外壁部及び底面部、並びに内壁部突出部及び垂下部１１０を有している。収容部には砂３０２が入れられている。
【００６１】
本実施形態の支持装置付可倒式ポール９００は、ねじ込み部を有さず、本体９４０が、ヒンジ部９２０の受け孔９４４を有している点で、第１の実施形態の支持装置付可倒式ポール４００と異なっている。つまり、本実施形態の可倒式ポール９００は、本体に貫通孔を有さず、本体９４０にヒンジ部の受け孔９４４を有することにより、ヒンジ部９２０が直接本体９４０に接続されるようにしている。
【００６２】
このような構成としたとしても、第１実施形態と同様に、収容部１０８に入れられた砂等の内容物の質量により、ポール５０２が倒される際の衝撃にも耐えられるようにしているため、薄いアイスバーンや雪面においても、ポール５０２が倒された際に、ポール５０２が抜けたり、ポールを刺した雪中の穴が大きくなったりすることがなく、長時間に渡り安定的に使用することができ、第１実施形態のその他の効果についても同様に有する。
【００６３】
なお、上述の実施形態においては、蓋部を本体から外れる構成としたが、内容物を詰めたあと本体から外せないこととし、一体型の構成としたとしても、本発明の技術的思想と異なるものではない。
【００６４】
また、上述の実施形態においては、外壁部の外側面形状を径が上下方向に単調に変化する形状としたが、その他の形状であってもよく、また、外側面にフィン、螺旋状の突起、山状又は円錐状の細かな突起その他の凹凸を有していてもよい。
【００６５】
また、上述の実施形態においては、内壁部及び外壁部を一体のものとして記載したが、別体としてもよく、更に互いに異なる材料としてもよい。この場合には、内壁部を靭性のある材料とし、可倒式ポールのねじ込み部がねじ込まれた際にねじ込み部のネジ溝に沿って変形しつつ、ねじ込み部を固定するものとすることができる。また、蓋部その他の部分を靭性のある材料としてもよい。
【００６６】
また、上述の実施形態の設置方法においては、ポールを可倒式ポール支持装置に取り付けてから、雪面上に設置することとしたが、可倒式ポール支持装置を雪中に設置した後にポールを取り付けるようにしてもよい。
【００６７】
また、上述の実施形態においては、本発明の可倒式ポール支持装置は、スキー競技に使用する可倒式ポール支持装置であるとして記載したが、スキー競技に限らず、地盤に固定する可倒式ポールを使用する場合に利用することができる。
【符号の説明】
【００６８】
１００  本体、１０２  内壁部、１０４  外壁部、１０６  孔部、１０８  収容部、１１０  垂下部、１１２  内壁部突出部、１１４  底面部、１５０  本体、１５２  内壁部、１５４  外壁部、１５６  孔部、１５８  収容部、１６０  垂下部、１６２  内壁部突出部、１６４  底面部、１７２  内壁部ネジ部、１７４  外壁部ネジ部、２００  蓋部、２０２  円錐型テーパ面、２０４  環状部、２０６  突出部嵌合孔、２０８  本体嵌合部、２５０  蓋部、２５２  円錐型テーパ面、２５４  環状部、２５６  突出部嵌合孔、２５８  本体嵌合部、２７０  蓋部、２７２  円錐型テーパ面、２７４  環状部、２７６  突出部嵌合孔、２７８  ネジ嵌め部、２８０  ネジ部、３００  可倒式ポール支持装置、３０２  砂、４００  支持装置付可倒式ポール、５００  可倒式ポール、５０２  ポール、５０４  ヒンジ部、５０６  ねじ込み部、５２０  ザイル紐、５４０  雪中部分、６００  可倒式ポール支持装置、７００  可倒式ポール支持装置、８００  可倒式ポール支持装置、８２０  本体、８２２  内壁部、８２４  外壁部、８２５  内壁部突出部、８２６  孔部、８２７  収容部、８２８  上面部、８２９  円錐型テーパ面、８４０  蓋部、８４２  垂下部、８４４  環状部、８４６  本体嵌合部、９００  可倒式ポール、９１０  ポール、９２０  ヒンジ部、９３０  蓋部、９３２  環状部、９３４  円錐型テーパ面、９４０  本体、９４４  受け孔。
【図１Ａ】
2011036602.tif 000003
【図１Ｂ】
2011036602.tif 000004
【図１Ｃ】
2011036602.tif 000005
【図２Ａ】
2011036602.tif 000006
【図２Ｂ】
2011036602.tif 000007
【図２Ｃ】
2011036602.tif 000008
【図３Ａ】
2011036602.tif 000009
【図３Ｂ】
2011036602.tif 000010
【図４】
2011036602.tif 000011
【図５】
2011036602.tif 000012
【図６】
2011036602.tif 000013
【図７Ａ】
2011036602.tif 000014
【図７Ｂ】
2011036602.tif 000015
【図８】
2011036602.tif 000016
【図９】
2011036602.tif 000017
【図１０】
2011036602.tif 000018
【図１１】
2011036602.tif 000019
【図１２Ａ】
2011036602.tif 000020
【図１２Ｂ】
2011036602.tif 000021
【図１３】
2011036602.tif 000022